(57)【要約】【課題】吸着中のスクラップの重量およびスクラップの積載重量を精度を低下させずに表示でき、且つ、スクラップの積み込み作業の作業効率の低下を抑えることができる油圧ショベルの作業量計測装置を提供する。【解決手段】油圧ショベルの作業量計測装置１０１において荷重演算手段１０２では姿勢検出手段１１１および圧力検出手段１１２の検出結果に基づき、吸着中のスクラップの重量を一定周期毎に演算して更新し、且つ、スクラップの釈放時にスクラップの重量を演算する。作業量演算手段１０３では、スクラップの釈放時に荷重演算手段１０２により演算されるスクラップの重量を用いてスクラップの重量を積算する。表示手段１０４では、吸着中のスクラップの重量が一定周期毎に更新されて表示され、スクラップの釈放毎に作業量演算手段１０３で演算されたスクラップの積算重量が更新して表示される。【選択図】図２
2014001040.tif 000002
【特許請求の範囲】
【請求項１】
油圧シリンダにより駆動されるフロントの先端部にアタッチメントとしてリフティングマグネットが取り付けられ、このリフティングマグネットを利用してスクラップをトラックに積み込むときに用いられる油圧ショベルの作業量計測装置において、
前記リフティングマグネットに前記スクラップの吸着または釈放を行わせるマグネット操作手段と、
前記フロントの姿勢を検出する姿勢検出手段と、
前記油圧シリンダのボトム側圧力およびロッド側圧力を検出する圧力検出手段と、
前記姿勢検出手段および前記圧力検出手段の検出結果に基づき、吸着中の前記スクラップの重量を一定周期毎に演算し、且つ、前記マグネット操作手段による前記スクラップの釈放が行われるときに前記スクラップの重量を演算する荷重演算手段と、
前記マグネット操作手段による前記スクラップの釈放が行われるときに前記荷重演算手段によって演算される前記スクラップの重量を用いて前記スクラップの重量を積算する作業量演算手段と、
前記マグネット操作手段による前記スクラップの吸着が行われているときには、前記荷重演算手段により前記一定周期毎に演算される吸着中の前記スクラップの重量を操作者に前記一定周期毎に更新して表示し、前記マグネット操作手段による前記スクラップの釈放が行われるたびに、前記積算手段によって得られる前記スクラップの積算重量を前記操作者に更新して表示する表示手段と
を備えることを特徴とする油圧ショベルの作業量計測装置。
【請求項２】
請求項１に記載の油圧ショベルの作業量計測装置において、
前記荷重演算手段は、前記マグネット操作手段による前記スクラップの吸着が行われていない間は、前記表示手段に吸着中の前記スクラップの重量がゼロであることを前記操作者に対して表示させることを特徴とする油圧ショベルの作業量計測装置。
【請求項３】
請求項１に記載の油圧ショベルの作業量計測装置において、
前記スクラップの釈放回数を記憶する釈放回数記憶手段をさらに備え、
前記荷重演算手段は、
前記釈放回数記憶手段に記憶されている前記スクラップの釈放回数がゼロであり、且つ、前記マグネット操作手段による前記スクラップの吸着が行われていないと判断した場合は、前記表示手段に吸着中の前記スクラップの重量がゼロであることを表示させ、
前記釈放回数記憶手段に記憶されている前記スクラップの釈放回数が１回以上であり、且つ、前記マグネット操作手段による前記スクラップの吸着が行われていないと判断した場合は、前記表示手段に前回釈放時の前記スクラップの重量を表示させることを特徴とする油圧ショベルの作業量計測装置。
【請求項４】
請求項１〜請求項３のいずれか１項に記載の油圧ショベルの作業量計測装置において、
前記表示手段に表示されている前記スクラップの積算重量の値を任意にゼロにするリセット手段をさらに備えることを特徴とする油圧ショベルの作業量計測装置。
【請求項５】
請求項１〜請求項４のいずれか１項に記載の油圧ショベルの作業量計測装置において、
前記スクラップの釈放回数毎の積載重量を記憶する積載重量記憶手段と、
前記表示手段に表示されている前記スクラップの積算重量の値を前記積載重量記憶手段に記憶されている釈放回数毎の積算重量の値のいずれかに変更したり当該値に戻したりする積載重量表示変更手段と
をさらに備えることを特徴とする油圧ショベルの作業量計測装置。
【請求項６】
請求項１〜請求項５のいずれか１項に記載の油圧ショベルの作業量計測装置において、
前記作業量演算手段は、前記マグネット操作手段による前記スクラップの釈放が行われたときに前記荷重演算手段によって演算される前記スクラップの重量を用いて前記スクラップの重量を積算する積算モードと、前記マグネット操作手段による前記スクラップの釈放が行われたときに前記荷重演算手段により演算される前記スクラップの重量を用いて前記スクラップの積算重量を減算する減算モードとを有し、
前記積算モードと前記減算モードとを任意に切り替える演算モード切り替え手段をさらに備え、
前記表示手段は、前記積算モードまたは前記減算モードによって演算された前記スクラップの積算重量を表示することを特徴とする油圧ショベルの作業量計測装置。
【発明の詳細な説明】
【技術分野】
【０００１】
本発明は、油圧シリンダにより駆動される油圧ショベルのフロントの先端部にアタッチメントとしてリフティングマグネットが取り付けられ、このリフティングマグネットを利用してスクラップをトラックに積み込むときに用いられる油圧ショベルの作業量計測装置に関する。
【背景技術】
【０００２】
従来より、スクラップ処理場において発生したスクラップ（金属スクラップ）を油圧ショベルを用いてトラックに積み込むときにはリフティングマグネットが利用されている。具体的に説明すると、油圧シリンダにより駆動されるフロントの先端部にアタッチメントとしてリフティングマグネットを取り付ける。このリフティングマグネットにスクラップを吸着させてトラックまで運搬し、トラックの荷台内でスクラップを釈放する。この吸着・釈放の作業を繰り返し行うことによりスクラップをトラックに積み込む。
【０００３】
しかし、公共の道路を走行するトラックには最大積載量が設定されているため、スクラップの積載重量は最大積載量以下でなければならない。そこで、油圧ショベルによるスクラップの積み込み作業を行いながら、吸着中のスクラップの重量や、トラックに積み込まれたスクラップの積載重量を操作者に表示するものとして作業量計測装置が提案されている（特許文献１、２参照）。
【０００４】
特許文献１の作業量計測装置では、マグネット操作手段によってリフティングマグネットがスクラップを釈放するときにスクラップの重量の積算処理を行い、この積算処理で得られた積算重量を表示手段に表示している。この積算処理では、積算処理に使用するスクラップの重量として、吸着中のスクラップの重量の検出を複数回実行して得られる複数のスクラップの重量の平均値を使用している。
【０００５】
しかし、操作者はスクラップの積算重量は表示手段により確認できるが、現在吸着中のスクラップの重量を確認できないため、たとえば吊荷が大きく揺れた時など、たとえ複数回の検出結果を平均したとしても大きな誤差を含む演算値となる可能性があるにもかかわらず、それに気づかずに演算値を積算してしまう虞がある。
【０００６】
特許文献２の作業量計測装置では、フロントの姿勢や油圧シリンダのボトム側圧力およびロッド側圧力の検出結果に基づいて吸着中のスクラップの重量を演算している。また、この作業量計測装置には、吸着中のスクラップの重量を任意に確認できるように計測スイッチが設けられている。
【０００７】
したがって、操作者は、リフティングマグネットからスクラップを釈放するときに計測スイッチを押すことにより、特許文献１の作業量計測装置よりも正確なスクラップの重量が表示手段に表示されて確認することが可能になっている。
【０００８】
また、特許文献２の作業量計測装置では、マグネット操作手段によってリフティングマグネットがスクラップを釈放したときに、表示手段に最後に表示したスクラップの重量を積算処理に使用している。
【０００９】
したがって、操作者は、油圧ショベルのフロントの姿勢が安定しているスクラップの釈放時に計測スイッチを押すことにより、スクラップの積算処理に使用するスクラップの重量の精度を特許文献１の作業量計測装置よりも上げることが可能になる。このように、特許文献２の作業量計測装置では、特許文献１の作業量計測装置よりもスクラップの積算重量の精度を上げて操作者に表示することが可能になっている。
【先行技術文献】
【特許文献】
【００１０】
【特許文献１】特開昭６１−１０６３９６号公報
【特許文献２】特開２００８−０２０３０１号公報
【発明の概要】
【発明が解決しようとする課題】
【００１１】
しかしながら、特許文献２の作業量計測装置では、計測スイッチを押さないと吸着中のスクラップの重量を確認できない。そのため、スクラップの重量の確認に手間がかかってしまい、スクラップの積み込み作業の作業効率が低下してしまう。
【００１２】
本発明は以上の問題を鑑みて成されたものであり、吸着中のスクラップの重量およびスクラップの積載重量を精度を低下させずに表示でき、且つ、スクラップの積み込み作業の作業効率の低下を抑えることができる油圧ショベルの作業量計測装置を提供することを目的とする。
【課題を解決するための手段】
【００１３】
本発明者等は、鋭意研究の結果、前記課題を解決するために以下のような油圧ショベルの作業量計測装置を採用した。
【００１４】
本発明の油圧ショベルの作業量計測装置は、
油圧シリンダにより駆動されるフロントの先端部にアタッチメントとしてリフティングマグネットが取り付けられ、このリフティングマグネットを利用してスクラップをトラックに積み込むときに用いられる油圧ショベルの作業量計測装置において、
前記リフティングマグネットに前記スクラップの吸着または釈放を行わせるマグネット操作手段と、
前記フロントの姿勢を検出する姿勢検出手段と、
前記油圧シリンダのボトム側圧力およびロッド側圧力を検出する圧力検出手段と、
前記姿勢検出手段および前記圧力検出手段の検出結果に基づき、吸着中の前記スクラップの重量を一定周期毎に演算し、且つ、前記マグネット操作手段による前記スクラップの釈放が行われるときに前記スクラップの重量を演算する荷重演算手段と、
前記マグネット操作手段による前記スクラップの釈放が行われるときに前記荷重演算手段によって演算される前記スクラップの重量を用いて前記スクラップの重量を積算する作業量演算手段と、
前記マグネット操作手段による前記スクラップの吸着が行われているときには、前記荷重演算手段により前記一定周期毎に演算される吸着中の前記スクラップの重量を操作者に前記一定周期毎に更新して表示し、前記マグネット操作手段による前記スクラップの釈放が行われるたびに、前記積算手段によって得られる前記スクラップの積算重量を前記操作者に更新して表示する表示手段と
を備えることを特徴としている。
【発明の効果】
【００１５】
本発明の油圧ショベルの作業量計測装置では、吸着中のスクラップの重量の表示を一定周期毎に行うようにしたので、吸着中のスクラップの重量を精度を低下させずに表示できる。さらに、操作者は計測スイッチを使用しなくても吸着中のスクラップの重量をすぐに確認することが可能になり、スクラップの積み込み作業の作業効率の低下を抑えることができる。また、本発明の油圧ショベルの作業量計測装置では、スクラップの重量の積算処理を行うときに、油圧ショベルのフロントの姿勢が安定している釈放時に演算したスクラップの重量を用いるので、積算処理に使用するスクラップの重量の精度を上げることが可能になり、スクラップの積載重量を精度を低下させずに表示できる。
【図面の簡単な説明】
【００１６】
【図１】本発明の一実施の形態を示す油圧ショベルの右側面図である。
【図２】同実施の形態の作業量計測装置の構成を示すブロック図である。
【図３】同実施の形態の荷重演算の説明図である。
【図４】同実施の形態の操作パネルの正面図である。
【図５】同実施の形態の作業量計測装置による制御処理の流れを示すフローチャートである。
【図６】図５のフローチャートの演算結果操作処理の流れを示すフローチャートである。
【発明を実施するための形態】
【００１７】
以下、本発明の実施の形態を図にしたがって説明する。
【００１８】
図１は、本発明の一実施の形態を示す油圧ショベル１の右側面図である。まず最初に油圧ショベル１の全体的な構成について説明する。
【００１９】
この油圧ショベル１は、周知のように、左右一対の走行装置２，（３）を備えた走行体４と、走行体４上に旋回可能に取り付けられた旋回体５と、旋回体５の前部に結合されたフロント１ａとを備えている。なお、カッコ書きの部分は左側にあるため図示していない。以下の説明においても同様である。
【００２０】
フロント１ａは、一端が旋回体５に揺動自在にピン結合されたブーム６と、一端がブーム６に揺動自在にピン結合されたアーム７と、アーム７の先端部にアタッチメントとして取り付けられたリフティングマグネット８とを備えている。このリフティングマグネット８は、スクラップ処理場で発生した金属スクラップ（図示せず）をトラックに積み込むために使用される。なお、以下の説明では、金属スクラップを単にスクラップと称する。
【００２１】
旋回体５とブーム６とには、ブーム６を上下に駆動するブームシリンダ９，（１０）が結合されている。ブーム６とアーム７とには、アーム７を上下に駆動するアームシリンダ１１が結合されている。アーム７とリフティングマグネット８とには、リフティングマグネット８を上下に駆動するバケットシリンダ１２が結合されている。これらのシリンダは油圧シリンダである。
【００２２】
旋回体５の上側には、キャブ１３、エンジンや油圧ポンプを格納する機械室１４、旋回体５を駆動する旋回モータ１５が設けられている。旋回体５の後側にはカウンタウエイト１６が設けられている。
【００２３】
キャブ１３内には、走行体４や旋回体５、フロント１ａの構成部分（ブーム６、アーム７、リフティングマグネット８）を操作する操作レバー１７，（１８）が設けられている。この操作レバー１７，（１８）にはマグネット操作手段１１３が設けられている（図２参照）。
【００２４】
このマグネット操作手段１１３は、リフティングマグネット８にスクラップの吸着または釈放を行わせるものであり、吸着スイッチおよび釈放スイッチを備えている。リフティングマグネット８は、吸着スイッチが押されると励磁してスクラップを吸着し、釈放スイッチが押されると励磁が解除されて吸着していたスクラップを釈放する。
【００２５】
次に、油圧ショベル１を用いたスクラップの積み込み作業について説明する。最初に、操作者は、操作レバー１７，（１８）により走行体４や旋回体５を駆動し、フロント１ａをスクラップ処理場の方に移動する。続いて、操作者は、操作レバー１７，（１８）によりフロント１ａを下方へ駆動し、吸着スイッチを押してリフティングマグネット８でスクラップを吸着する。
【００２６】
操作者は、リフティングマグネット８にスクラップが吸着されたら、操作レバー１７，（１８）によりフロント１ａを上方へ駆動した後、走行体４や旋回体５を駆動してフロント１ａをトラックの方へ移動する。続いて、操作者は、操作レバー１７，（１８）によりフロント１ａを下方へ駆動して釈放位置で停止させ、釈放スイッチを押してリフティングマグネット８からスクラップを釈放する。
【００２７】
操作者は、リフティングマグネット８からスクラップが釈放されたら、操作レバー１７，（１８）により走行体４や旋回体５を駆動してフロント１ａをスクラップ処理場の方へ移動し、上記で説明したようにスクラップの吸着作業を行う。この一連の作業を繰り返し行うことにより、スクラップをトラックに積み込む。
【００２８】
また、油圧ショベル１は、図２に示すように本発明の作業量計測装置１０１を備えている。この作業量計測装置１０１は、油圧ショベル１によるスクラップの積み込み作業を行いながら、吸着中のスクラップの重量や、トラックに積み込まれたスクラップの積算重量を操作者に表示するものである。
【００２９】
また、この作業量計測装置１０１は、姿勢検出手段１１１と、圧力検出手段１１２と、マグネット操作手段１１３と、荷重演算手段１０２と、作業量演算手段１０３と、表示手段１０４と、演算結果記憶手段１０５と、演算結果操作指令手段１０６とを備えている。このうち、マグネット操作手段１１３については上記で説明した通りである。以下には、マグネット操作手段１１３以外の各手段について説明する。
【００３０】
最初に、姿勢検出手段１１１について説明する。姿勢検出手段１１１は、フロント１ａの姿勢を検出するものである。姿勢検出手段１１１は、図１に示すように、ブーム角度センサ１９と、アーム角度センサ２０と、アタッチメント角度センサ２１とを備えている。
【００３１】
ブーム角度センサ１９は旋回体５とブーム６との揺動中心に設けられ、ブーム６の起伏角度を検出するものである。アーム角度センサ２０はブーム６とアーム７との揺動中心に設けられ、アーム７の起伏角度を検出するものである。アタッチメント角度センサ２１はアーム７とリフティングマグネット８との揺動中心に設けられ、リフティングマグネット８の起伏角度を検出するものである。
【００３２】
次に、圧力検出手段１１２について説明する。圧力検出手段１１２は、ブームシリンダ９，（１０）の圧力を検出するものである。圧力検出手段１１２は、図１に示すように、ボトム側圧力センサ２２と、ロッド側圧力センサ２３とを備えている。
【００３３】
ボトム側圧力センサ２２は、ブームシリンダ９，（１０）のボトム側圧力（シリンダ室内のボトム側圧力）を検出するものである。ロッド側圧力センサ２３は、ブームシリンダ９，（１０）のロッド側圧力（シリンダ室内のロッド側圧力）を検出するものである。
【００３４】
次に、荷重演算手段１０２について説明する。荷重演算手段１０２は、リフティングマグネット８に吸着中のスクラップの重量を演算するものである。荷重演算手段１０２には、姿勢検出手段１１１および圧力検出手段１１２、作業量演算手段１０３、表示手段１０４に接続されている。
【００３５】
荷重演算手段１０２はマイクロコンピュータを備えており、姿勢検出手段１１１および圧力検出手段１１２の検出結果に基づき、リフティングマグネット８に吸着されているスクラップの重量を一定周期毎に演算して更新し、且つ、スクラップがリフティングマグネット８から釈放されるときにスクラップの重量を演算するものである。
【００３６】
図３を用いて荷重演算手段１０２によるスクラップの重量の演算方法を説明する。図３においてＷは、リフティングマグネット８が吸着しているスクラップの重量（荷重）を表すベクトルである。Ｗ１は、ブームシリンダ９，（１０）を除いたフロント１ａの自重（既知値）を表すベクトルである。
【００３７】
Ｌは、ブーム６の揺動中心とスクラップの重心位置間の水平長さを示す。ｈは、ブーム６の揺動中心からブームシリンダ９，（１０）に対して引いた垂線の長さを示す。Ｌ１は、ブーム６の揺動中心とブームシリンダ９，（１０）を除いたフロント１ａの重心位置間の水平方向の長さである。
【００３８】
これらの長さＬ、ｈ、Ｌ１は、姿勢検出手段１１１による検出結果（ブーム６の起伏角度、アーム７の起伏角度、リフティングマグネット８の起伏角度）と、ブーム６やアーム７の寸法により演算されるものであり、既知値である。
【００３９】
ボトム側圧力センサ２２により検出されるブームシリンダ９，（１０）のボトム側圧力をＰ１ｂ、ロッド側圧力センサ２３により検出されるロッド側圧力をＰ１ｒとし、ボトム側の受圧面積をＡｂ、ロッド側の受圧面積をＡｒとする。このときのブームシリンダ９，（１０）の支持力Ｆは、以下の式（１）で表される。ただし，ブームシリンダ９，（１０）の伸長方向を正の向きとする。
Ｆ＝Ｐ１ｂ・Ａｂ−Ｐ１ｒ・Ａｒ・・・（１）
【００４０】
このブームシリンダ９，（１０）の支持力Ｆによるブーム６の揺動中心まわりのモーメントは、スクラップの重量Ｗおよびフロント１ａの自重Ｗ１によるブーム６の揺動中心まわりのモーメントの和とつり合っているので、以下の式（２）で表される。この式（２）から式（３）を導くことにより、吸着中のスクラップの重量を演算することができる。
Ｆ・ｈ＝Ｗ・Ｌ＋Ｗ１・Ｌ１・・・（２）
∴Ｗ＝（Ｆ・ｈ−Ｗ１・Ｌ１）／Ｌ・・・（３）
【００４１】
また、荷重演算手段１０２は、マグネット操作手段１１３によるスクラップの吸着が行われている間は、一定周期毎に演算している吸着中のスクラップの重量を表示手段１０４により操作者に表示させるように構成されている。
【００４２】
なお、マグネット操作手段１１３によるスクラップの吸着が行われている間とは、吸着スイッチが押されてから次に釈放スイッチが押されるまでの間である。
【００４３】
さらに、荷重演算手段１０２は、マグネット操作手段１１３によるスクラップの吸着が行われていない間は、吸着中のスクラップの重量がゼロであることを表示手段１０４により操作者に表示させるように構成されている。
【００４４】
なお、マグネット操作手段１１３によるスクラップの吸着が行われていない間とは、作業量計測装置１０１の電源がオンにされてから吸着スイッチが押されるまでの間、または、釈放スイッチが押されてから次に吸着スイッチが押されるまでの間である。
【００４５】
次に、作業量演算手段１０３について説明する。作業量演算手段１０３は、スクラップの重量の積算や積算重量の減算を行うものである。作業量演算手段１０３には、荷重演算手段１０２、表示手段１０４、マグネット操作手段１１３、演算結果記憶手段１０５が接続されている。
【００４６】
また、作業量演算手段１０３はマイクロコンピュータを備えており、スクラップの重量を積算する積算モードと、スクラップの積算重量を減算する減算モードとを有している。
【００４７】
積算モードは、マグネット操作手段１１３によるスクラップの釈放が行われたときに、つまりマグネット操作手段１１３の釈放スイッチが押されたときに、荷重演算手段１０２によって演算されるスクラップの重量を用いてスクラップの重量を積算するモードである。
【００４８】
減算モードは、マグネット操作手段１１３の釈放スイッチが押されたときに、荷重演算手段１０２によって演算されるスクラップの重量を用いてスクラップの積算重量を減算するモードである。
【００４９】
次に、表示手段１０４について説明する。表示手段１０４は、吸着中のスクラップの重量、スクラップの積算重量、スクラップの釈放回数（積み込み回数）を表示するものである。表示手段１０４には、荷重演算手段１０２および作業量演算手段１０３、演算結果操作指令手段１０６が接続されている。表示手段１０４は、図４に示すような操作パネル２０１上の左半部に設けられており、上下に並んで配置された３つの表示部を備えている。
【００５０】
３つの表示部は、上から、スクラップの釈放回数を表示する作業回数表示部１４１、スクラップの積算重量を表示する積算量表示部１４２、吸着中のスクラップの重量を表示する現在重量表示部１４３である。なお、操作パネル２０１はタッチ式のパネル（タッチパネル）であり、図１に示すキャブ１３内に設けられている。
【００５１】
現在重量表示部１４３では、吸着スイッチが押されている間は、荷重演算手段１０２によって演算された吸着中のスクラップの重量が表示される。荷重演算手段１０２は上記で説明したように吸着中のスクラップの重量を一定周期毎に演算している。したがって、現在重量表示部１４３には吸着中のスクラップの重量が一定周期毎に更新されて表示される。
【００５２】
さらに現在重量表示部１４３では、作業量計測装置１０１の電源がオンになってから吸着スイッチが押されるまでの間、または、釈放スイッチが押されてから次に吸着スイッチが押されるまでの間は、荷重演算手段１０２によってゼロが表示される。
【００５３】
積算量表示部１４２では、釈放スイッチが押されたときに作業量演算手段１０３によって演算されたスクラップの積算重量が表示される。このスクラップの積算重量は釈放スイッチが押されるたびに、つまりスクラップの釈放が行われるたびに更新して表示される。
【００５４】
作業回数表示部１４１では、積算量表示部１４２にスクラップの積算重量が表示されるときに一緒に釈放回数（積み込み回数）が表示される。
【００５５】
次に、演算結果記憶手段１０５について説明する。演算結果記憶手段１０５は、本発明の釈放回数記憶手段や積載重量記憶手段を構成している。具体的に説明すると、演算結果記憶手段１０５には、作業量演算手段１０３、マグネット操作手段１１３、演算結果操作指令手段１０６が接続されている。演算結果記憶手段１０５は、ランダムアクセスメモリ（ＲＡＭ）を備えており、スクラップの釈放回数や、釈放回数毎の積算重量を記憶するように構成されている。
【００５６】
次に、演算結果操作指令手段１０６について説明する。演算結果操作指令手段１０６は、スクラップの釈放回数や積算重量を変更するものである。演算結果操作指令手段１０６には表示手段１０４および演算結果記憶手段１０５が接続されている。また、演算結果操作指令手段１０６は、本発明のリセット手段、積載重量表示変更手段、演算モード切り替え手段を構成している。これについて以下に具体的に説明する。
【００５７】
演算結果操作指令手段１０６は、図４に示すように操作パネル２０１上の右半部に設けられた４つのボタンを備えている。この４つのボタンは、演算モード切り替えボタン１６１、リセットボタン１６２、戻るボタン１６３および進むボタン１６４である。
【００５８】
演算モード切り替えボタン１６１は本発明の演算モード切り替え手段を構成している。この演算モード切り替えボタン１６１は、作業量演算手段１０３の演算モードを積算モードと減算モードとに任意に切り替えるものである。
【００５９】
演算モード切り替えボタン１６１が押されていない場合、つまり、初期状態においては図４に示すように「積算」が表示されて作業量演算手段１０３の演算モードが積算モードに設定されている。演算モード切り替えボタン１６１が押された場合には、図示しないが「減算」が表示されて作業量演算手段１０３の演算モードが減算モードに設定される。
【００６０】
リセットボタン１６２は本発明のリセット手段を構成している。このリセットボタン１６２は、押されると、表示手段１０４の作業回数表示部１４１に表示されているスクラップの釈放回数の値と、積算量表示部１４２に表示されているスクラップの積算重量の値をゼロにするものである。
【００６１】
戻るボタン１６３および進むボタン１６４は本発明の積載重量表示変更手段を構成している。この戻るボタン１６３および進むボタン１６４は、表示手段１０４の作業回数表示部１４１に表示されているスクラップの釈放回数の値と、積算量表示部１４２に表示されているスクラップの積算重量の値を、演算結果記憶手段１０５に記憶されている釈放回数毎の値のいずれかに変更したり元の値に戻したりするものである。
【００６２】
具体的に説明すると、例えば、戻るボタン１６３が一回押されると、スクラップの積載重量の値と釈放回数の値は、その一つ前にスクラップの釈放を行った時点での値に変更される。さらに戻るボタン１６３が一回押されると、さらに一つ前に釈放を行った時点での値に変更される。この状態で進むボタン１６４が一回押されると、一つ後に釈放した時点での値に変更される。さらに進むボタン１６４が一回押されると、最初に表示していた最新の釈放時の値に戻る。
【００６３】
次に、作業量計測装置１０１の制御処理について図５と図６のフローチャートを用いて説明する。この制御処理は、作業量計測装置１０１の電源がオンにされると開始する。なお、図５のフローチャートに示した制御処理は、作業量計測装置１０１の電源がオフにされるまで繰り返し実行される。
【００６４】
また、この制御処理では、スクラップの釈放回数が１回目の場合と２回目以降の場合とに分けて説明する。
【００６５】
＜スクラップの釈放回数が１回目の場合＞
（ステップＳＡ１）
最初に、作業量計測装置１０１は、演算結果操作指令手段１０６により、操作パネル２０１の３つのボタン（リセットボタン１６２、戻るボタン１６３、進むボタン１６４）のいずれかが押されたか否かを判断する。
【００６６】
（ステップＳＢ）
演算結果操作指令手段１０６は、３つのボタン１６２〜１６４のいずれかが押されたと判断した場合は（ステップＳＡ１の判断結果がＹｅｓ）、演算結果操作処理を行う。
【００６７】
しかし、スクラップの釈放回数が１回目の場合には、通常、３つのボタン１６２〜１６４はいずれも押されることはない。したがって、演算結果操作処理の内容については、スクラップの釈放回数が２回目以降の場合のところで説明する。
【００６８】
（ステップＳＡ２）
演算結果操作指令手段１０６は、３つのボタン１６２〜１６４のいずれも押されていないと判断した場合は（ステップＳＡ１の判断結果がＮｏ）、演算モード切り替えボタン１６１が押されたか否かを判断する。
【００６９】
（ステップＳＡ３）
演算結果操作指令手段１０６は、演算モード切り替えボタン１６１が押されたと判断した場合は（ステップＳＡ２の判断結果がＹｅｓ）、作業量演算手段１０３の演算モードを減算モードに設定する。
【００７０】
しかし、スクラップの釈放回数が１回目の場合は、通常、作業量演算手段１０３の演算モードを減算モードに設定することはない。したがって、減算モードに設定した場合の制御処理については、スクラップの釈放回数が２回目以降の場合のところで説明する。
【００７１】
（ステップＳＡ４）
演算結果操作指令手段１０６は、演算モード切り替えボタン１６１が押されていないと判断した場合は（ステップＳＡ２の判断結果がＮｏ）、荷重演算手段１０２によりスクラップの重量の演算処理を行う。この演算処理は、上記で説明したように、姿勢検出手段１１１および圧力検出手段１１２の検出結果に基づいてスクラップの重量を演算する。
【００７２】
（ステップＳＡ５）
次に、作業量計測装置１０１は、荷重演算手段１０２により、マグネット操作手段１１３の吸着スイッチが押されている（ＯＮになっている）か否かを判断する。
【００７３】
（ステップＳＡ６）
荷重演算手段１０２は、マグネット操作手段１１３の吸着スイッチがＯＮになっていると判断した場合は（ステップＳＡ５の判断結果がＹｅｓ）、リフティングマグネット８にスクラップが吸着していると判断して、吸着中のスクラップの重量を表示するフラグを立てる。
【００７４】
（ステップＳＡ７）
次に、作業量計測装置１０１は、表示手段１０４により、荷重演算手段１０２によって立てられた吸着中のスクラップの重量を表示するフラグがあるか否かを判断する。
【００７５】
（ステップＳＡ８）
表示手段１０４は、吸着中のスクラップの重量を表示するフラグがあると判断した場合は（ステップＳＡ７の判断結果がＹｅｓ）、現在重量表示部１４３に吸着中のスクラップの重量を表示する。
【００７６】
上記で説明したように荷重演算手段１０２は、吸着中のスクラップの重量を一定周期毎に演算しているので、現在重量表示部１４３に表示される吸着中のスクラップの重量の値は一定周期毎に更新される。
【００７７】
（ステップＳＡ９）
表示手段１０４は、吸着中のスクラップの重量を表示するフラグがないと判断した場合は（ステップＳＡ５の判断結果がＮｏ、且つ、ステップＳＡ７の判断結果がＮｏ）、現在重量表示部１４３にゼロを表示する。
【００７８】
（ステップＳＡ１０）
次に、作業量計測装置１０１は、作業量演算手段１０３により、マグネット操作手段１１３の釈放スイッチが押されている（ＯＮになっている）か否かを判断する。
【００７９】
（ステップＳＡ１１）
作業量演算手段１０３は、マグネット操作手段１１３の釈放スイッチが押されていると判断した場合は（ステップＳＡ１０の判断結果がＹｅｓ）、スクラップの重量の積算処理を行う。釈放回数が１回目の場合は、荷重演算手段１０２により演算されたスクラップの重量がスクラップの積算重量となる。
【００８０】
なお、作業量計測装置１０１は、作業量演算手段１０３により釈放スイッチが押されていないと判断した場合は（ステップＳＡ１０の判断結果がＮｏ）、ステップＳＡ１の処理に戻る。
【００８１】
（ステップＳＡ１２）
作業量演算手段１０３は、スクラップの重量の積算処理を行った後、表示手段１０４の積算量表示部１４２に、その積算処理によって得られた積算重量（運搬済みスクラップ重量）を表示する。また、このときに作業量演算手段１０３は、表示手段１０４の作業回数表示部１４１に釈放回数が１回目である「１」を表示する。
【００８２】
（ステップＳＡ１３）
続いて、作業量計測装置１０１は、演算結果記憶手段１０５により、スクラップの釈放回数と、その釈放回数におけるスクラップの積算重量を記憶する。
【００８３】
（ステップＳＡ１４）
最後に、作業量計測装置１０１は、荷重演算手段１０２により、表示手段１０４の現在重量表示部１４３に表示されているスクラップの重量の値をゼロにしてステップＳＡ１の処理に戻る。
【００８４】
＜スクラップの釈放回数が２回目以降の場合＞
最初に、ステップＳＢの演算結果処理や、ステップＳＡ３の演算モード選択処理（減算モードの設定処理）を行わない場合の制御処理を説明する。
【００８５】
ステップＳＡ１→ステップＳＡ２→ステップＳＡ４〜ステップＳＡ１０の処理は、スクラップの釈放回数が１回目の場合の処理と同じである。ここではステップＳＡ１１以降の処理について説明する。
【００８６】
（ステップＳＡ１１）
作業量演算手段１０３は、マグネット操作手段１１３の釈放スイッチが押されていると判断した場合は（ステップＳＡ１０の判断結果がＹｅｓ）、スクラップの重量の積算処理を行う。釈放回数が２回目以降の場合は、演算結果記憶手段１０５に記憶されているスクラップの積算重量に、今回の釈放で荷重演算手段１０２によって演算されたスクラップの重量を積算したものが最新のスクラップの積算重量となる。
【００８７】
（ステップＳＡ１２）
作業量演算手段１０３は、スクラップの重量の積算処理を行った後、表示手段１０４の積算量表示部１４２に、その積算処理によって得られた積算重量を表示する。また、このときに作業量演算手段１０３は、表示手段１０４の作業回数表示部１４１に今回の釈放回数を表示する。
【００８８】
（ステップＳＡ１３〜ステップＳＡ１４）
次に、作業量計測装置１０１は、演算結果記憶手段１０５により、スクラップの釈放回数と、その釈放回数における積算重量を記憶する。最後に、作業量計測装置１０１は、荷重演算手段１０２により、現在重量表示部１４３に表示されているスクラップの重量の値をゼロにしてステップＳＡ１の処理に戻る。
【００８９】
次に、ステップＳＢの演算結果操作処理を行う場合について説明する。
【００９０】
ステップＳＢの演算結果操作処理は、演算結果操作指令手段１０６により、操作パネル２０１の３つのボタン（リセットボタン１６２、戻るボタン１６３、進むボタン１６４）のいずれかが押されたと判断された場合（ステップＳＡ１の判断結果がＹｅｓ）に開始される。
【００９１】
（ステップＳＢ１）
最初に、演算結果操作指令手段１０６は、３つのボタン１６２〜１６４のうち、リセットボタン１６２が押された否かを判断する。
【００９２】
（ステップＳＢ２）
演算結果操作指令手段１０６は、リセットボタン１６２が押されたと判断した場合は（ステップＳＢ１の判断結果がＹｅｓ）、表示手段１０４の作業回数表示部１４１に表示されているスクラップの釈放回数の値と、積算量表示部１４２に表示されているスクラップの積算重量の値をリセットする（ゼロにする）。
【００９３】
（ステップＳＢ３）
演算結果操作指令手段１０６は、リセットボタン１６２が押されていないと判断した場合は（ステップＳＢ１の判断結果がＮｏ）、戻るボタン１６３が押されているか否かを判断する。
【００９４】
（ステップＳＢ４）
演算結果操作指令手段１０６は、戻るボタン１６３が押されていると判断した場合は（ステップＳＢ３の判断結果がＹｅｓ）、表示手段１０４の作業回数表示部１４１に表示されているスクラップの釈放回数の値と、積算量表示部１４２に表示されているスクラップの積算重量の値を、演算結果記憶手段１０５に記憶されている一つ前にスクラップの釈放を行った時点での値に戻して処理を終了する。
【００９５】
（ステップＳＢ５）
演算結果操作指令手段１０６は、リセットボタン１６２および戻るボタン１６３が押されていないと判断した場合は（ステップＳＢ３の判断結果がＮｏ）、進むボタン１６４が押されていると判断する。
【００９６】
（ステップＳＢ６）
続いて、演算結果操作指令手段１０６は、表示手段１０４の積算量表示部１４２に表示されているスクラップの積算重量の値を、演算結果記憶手段１０５に記憶されているスクラップの積算重量の値と照らし合わせて最後に演算した（最後に釈放した時点での）値であるか否かを判断する。
【００９７】
（ステップＳＢ７）
演算結果操作指令手段１０６は、積算量表示部１４２に表示されているスクラップの積算重量の値が最後に演算した値でないと判断した場合は（ステップＳＢ６の判断結果がＮｏ）、以下のような処理を行う。
【００９８】
演算結果操作指令手段１０６は、作業回数表示部１４１に表示されているスクラップの釈放回数の値と、積算量表示部１４２に表示されているスクラップの積算重量の値を、演算結果記憶手段１０５に記憶されている一つ後の釈放時点での値に進めて処理を終了する。
【００９９】
なお、演算結果操作指令手段１０６は、積算量表示部１４２に表示されているスクラップの積算重量の値が最後に演算した値であると判断した場合は（ステップＳＢ６の判断結果がＹｅｓ）、作業回数表示部１４１に表示されているスクラップの移送作業回数の値と、積算量表示部１４２に表示されているスクラップの積算重量の値を変更せずに処理を終了する。
【０１００】
その後、演算結果操作指令手段１０６は、３つのボタン１６２〜１６４のいずれかが押されると、ステップＳＢの演算結果操作処理を再度実行する。つまり、演算結果操作指令手段１０６は、３つのボタン１６２〜１６４の押下に応じて、ステップＳＢの演算結果操作処理を何度でも実行する。これにより、表示手段１０４に表示されているスクラップの釈放回数の値と、その釈放回数におけるスクラップの積算重量の値が任意に変更される。
【０１０１】
次に、図５のステップＳＡ３の演算モード選択処理（減算モードの設定）を行う場合の制御処理について説明する。
【０１０２】
ステップＳＡ３の演算モード選択処理は、演算結果操作指令手段１０６により操作パネル２０１の演算モード切り替えボタン１６１が押されたと判断した場合（ステップＳＡ２の判断結果がＹｅｓ）に開始される。
【０１０３】
ステップＳＡ４〜ステップＳＡ１０の処理は、スクラップの釈放回数が１回目の場合の処理と同じである。ここではステップＳＡ１１以降の処理について説明する。
【０１０４】
（ステップＳＡ１１）
作業量演算手段１０３は、マグネット操作手段１１３の釈放スイッチが押されていると判断した場合は（ステップＳＡ１０の判断結果がＹｅｓ）、スクラップの積算重量の減算処理を行う。
【０１０５】
具体的に説明すると、作業量演算手段１０３は、演算結果記憶手段１０５に記憶されているスクラップの積算重量から今回釈放時に荷重演算手段１０２によって演算されたスクラップの重量を減算する。また、このときに作業量演算手段１０３は、演算結果記憶手段１０５に記憶されているスクラップの釈放回数から１回の減算を行う。
【０１０６】
（ステップＳＡ１２）
作業量演算手段１０３は、スクラップの積算重量の減算を行った後、表示手段１０４の積算量表示部１４２に、その減算により得られたスクラップの積算重量を表示する。また、このときに作業量演算手段１０３は、表示手段１０４の作業回数表示部１４１に、減算して得られたスクラップの釈放回数を表示する。
【０１０７】
（ステップＳＡ１３〜ステップＳＡ１４）
次に、作業量計測装置１０１は、演算結果記憶手段１０５により、減算により得られたスクラップの釈放回数と、その釈放回数におけるスクラップの積算重量を記憶する。最後に、作業量計測装置１０１は、荷重演算手段１０２により、現在重量表示部１４３に表示されているスクラップの重量の値をゼロにしてステップＳＡ１の処理に戻る。
【０１０８】
以上、説明したように本実施の形態の油圧ショベル１の作業量計測装置１０１では、吸着中のスクラップの重量を一定周期毎に更新して表示するようにしたので、従来と同様に吸着中のスクラップの重量を精度を低下させずに表示できる。
【０１０９】
また、吸着中のスクラップの重量を一定周期毎に更新して表示することから、操作者は、従来のように計測スイッチを使用しなくても吸着中のスクラップの重量をすぐに確認することが可能になる。よって、スクラップの積み込み作業の作業効率の低下を抑えることができる。
【０１１０】
また、本実施の形態の油圧ショベル１の作業量計測装置１０１では、スクラップの重量の積算処理に釈放時に演算したスクラップの重量を用いるので、積算処理に用いるスクラップの重量の精度を上げることができ、スクラップの積載重量を精度を低下させずに表示することができる。
【０１１１】
また、本実施の形態の油圧ショベル１の作業量計測装置１０１では、マグネット操作手段１１３によるスクラップの吸着が行われていない間は、表示手段１０４の現在重量表示部１４３にゼロを表示するようにした。したがって、スクラップの吸着が行われていないときに、油圧ショベル１の姿勢や動作によって誤差が生じている値が表示されるのを防ぐことができ、操作者に混乱を与えるのを防ぐことができる。
【０１１２】
また、本実施の形態の油圧ショベル１の作業量計測装置１０１では、表示手段１０４に表示されているスクラップの積算重量を任意にゼロにするリセットボタン１６２を備えている。したがって、操作者は、荷台を空にした新しいトラックにスクラップを積み込む前にリセットボタン１６２を押すことで、表示手段１０４にそれまで表示されていたスクラップの積算重量をゼロにすることができる。
【０１１３】
これにより、操作者は、スクラップの積み込み作業を開始する度に、スクラップの積算重量をゼロの状態から開始することが可能になり、作業毎のスクラップの積算重量を容易に確認できる。よって、本実施の形態の油圧ショベル１の作業量計測装置１０１は、スクラップの積み込み作業の作業効率をさらに上げることができる。
【０１１４】
また、本実施の形態の油圧ショベル１の作業量計測装置１０１では、演算結果記憶手段１０５を用いてスクラップの釈放回数毎の積載重量を記憶するようにした。さらに、表示手段１０４に表示されているスクラップの積算重量の値を、演算結果操作指令手段１０６（戻るボタン１６３、進むボタン１６４）を用いて、演算結果記憶手段１０５に記憶されている釈放回数毎の積算重量の値のいずれかに変更したり、元の値に戻すようにした。
【０１１５】
したがって、油圧ショベル１の操作ミスによりスクラップをトラック以外の場所に釈放して、表示手段１０４に表示されているスクラップの積算重量の値が更新されても、演算結果操作指令手段１０６を用いることにより前回釈放時の値に戻すことができる。よって、本実施の形態の油圧ショベル１の作業量計測装置１０１は使い勝手を向上させることができる。
【０１１６】
また、本実施の形態の油圧ショベル１の作業量計測装置１０１では、スクラップの重量を積算する積算モードと、スクラップの積算重量を減算する減算モードとを備え、双方のモードを任意に切り替えるようにし、表示手段１０４は、積算モードまたは減算モードによって演算されたスクラップの積算重量を表示するようにした。
【０１１７】
これにより操作者は、トラックに最終的に積み込むスクラップの積算重量の調整を行うことが可能になる。例えば、最大積載量を超えてトラックに積み込まれた超過分のスクラップをトラックから降ろすときに減算モードを選択してスクラップの吸着・釈放を行うと、表示手段１０４には降ろした分のスクラップの重量が減算された積算重量が表示される。したがって、本実施の形態の油圧ショベル１の作業量計測装置１０１では、減算モードを用いることにより、トラックに積み込むスクラップの積算重量が最終的に最大積載量を超えてしまうのを確実に防ぐことができる。
【０１１８】
以上、本発明にかかる実施の形態を例示したが、これらの実施の形態は本発明の内容を限定するものではない。また、本発明の請求項の範囲を逸脱しない範囲であれば、各種の変更等は可能である。
【０１１９】
例えば、本実施の形態の作業量計測装置１０１では、マグネット操作手段１１３によるスクラップの吸着が行われていない間は、表示手段１０４の現在重量表示部１４３にゼロを表示するようにしたが、以下のような処理を行っても良い。
【０１２０】
演算結果記憶手段１０５に記憶されているスクラップの釈放回数がゼロであり、且つ、マグネット操作手段１１３によるスクラップの吸着が行われていない場合は、表示手段１０４の現在重量表示部１４３にゼロを表示する。
【０１２１】
また、演算結果記憶手段１０５に記憶されているスクラップの釈放回数が１回以上であり、且つ、マグネット操作手段１１３によるスクラップの吸着が行われていない場合は、表示手段１０４の現在重量表示部１４３に前回釈放時のスクラップの重量を表示する。
【０１２２】
この場合も、スクラップの吸着が行われていないときに、油圧ショベル１の姿勢や動作によって誤差が生じている値が表示されてしまうのを防ぐことができ、操作者に混乱を与えるのを防ぐことができる。
【０１２３】
また、本実施の形態の作業量計測装置１０１では、本発明のフロント１ａの姿勢検出手段１１１として角度センサ（ブーム角度センサ１９、アーム角度センサ２０、アタッチメント角度センサ２１）を使用したが、フロント１ａの姿勢はシリンダ長から演算することも可能である。そこで、各シリンダ（ブームシリンダ９，（１０）、アームシリンダ１１、バケットシリンダ１２）にストロークセンサを設けても良い。
【０１２４】
また、本実施の形態の作業量計測装置１０１では、圧力検出手段１１２として圧力センサ（ボトム側圧力センサ２２、ロッド側圧力センサ２３）をブームシリンダ９，（１０）にそれぞれに設けたが、アームシリンダ１１またはバケットシリンダ１２に圧力センサを設けても良い。
【０１２５】
また、本実施の形態の作業量計測装置１０１では、スクラップの重量の積算処理に使用するスクラップの重量として釈放時のスクラップの重量を使用したが、荷重演算手段１０２によって一定周期ごとに演算された複数の吸着中のスクラップの重量の平均値を使用してもよい。この場合には、機械振動などによる誤差が平均化されるので、スクラップの積算重量の精度の低下をいくらか抑えることができる。
【０１２６】
また、本実施の形態の作業量計測装置１０１では、表示手段１０４としてタッチパネルを使用したが、通常のモニタと操作パネルを使用しても良い。
【符号の説明】
【０１２７】
１    油圧ショベル
１ａ    フロント
８    リフティングマグネット
１０１    作業量計測装置
１０２    荷重演算手段
１０３    作業量演算手段
１０４    表示手段
１０５    演算結果記憶手段（釈放回数記憶手段、積載重量記憶手段）
１０６    演算結果操作指令手段（リセット手段、積載重量表示変更手段、演算モード切り替え手段）
１１１    姿勢検出手段
１１２    圧力検出手段
１１３    マグネット操作手段
【図１】
2014001040.tif 000003
【図２】
2014001040.tif 000004
【図３】
2014001040.tif 000005
【図４】
2014001040.tif 000006
【図５】
2014001040.tif 000007
【図６】
2014001040.tif 000008